(57)【要約】【課題】電子基板に対する不正行為を効果的に予防しつつ、そのような不正行為が行われた際に手間をかけることなく簡便かつ確実にその痕跡を確認することができて、不正行為の予防及び早期発見に寄与することのできる電子基板ユニット及び遊技機を提供すること。【解決手段】この電子基板ユニットＵは、協働して電子基板３４を内包する複数の基板ケース３５ａ，３５ｂと、基板ケース３５ａ，３５ｂ同士を結合する結合部材３５ｐと、基板ケース３５ａ，３５ｂに跨るように固定された封印部材４１と、を備え、封印部材４１は、リーダによって読み取り可能な情報を有する情報部を含んでおり、情報部は、結合部材３５ｐの上方に固定されている。【選択図】図５
2010142480.tif 000002
【特許請求の範囲】
【請求項１】
協働して電子基板を内包する複数の基板ケースと、
該基板ケース同士を結合する結合部材と、
該複数の基板ケースの合わせ目において、その分離を阻止すべく該複数の基板ケースに跨るように固定された封印部材と、を備える電子基板ユニットであって、
前記封印部材は、リーダによって読み取り可能な情報を有する情報部を含んでおり、
該情報部は、前記結合部材の上方に固定されている、電子基板ユニット。
【請求項２】
前記情報部は、前記リーダによって読み取り可能な情報が埋め込まれたＲＦタグと、該ＲＦタグのアンテナ部と、を有しており、
該ＲＦタグと該アンテナ部のうち少なくともアンテナ部は、前記結合部材の上方に配置されており、該結合部材による結合を解除することによって該ＲＦタグの情報が実質的に読み取り不可能となるように構成されている、請求項１に記載の電子基板ユニット。
【請求項３】
前記複数の基板ケースのうち少なくとも一の基板ケースには、前記封印部材の位置を定めるための位置決め部が設けられており、
該封印部材が該位置決め部に基づいて位置決めされることにより、前記情報部が前記結合部材の上方に配置される、請求項１又は請求項２に記載の電子基板ユニット。
【請求項４】
前記封印部材は、外部から視認可能な識別情報を有しており、
該識別情報は、前記複数の基板ケースの合わせ目近傍の上方に配置されている、請求項１から請求項３のいずれかに記載の電子基板ユニット。
【請求項５】
前記封印部材を覆うカバー部材を更に備え、
該カバー部材は、前記基板ケースに対して着脱自在に構成されており、前記基板ケースから取り外される際に前記結合部材の上方に固定された封印部材を破り前記リーダによる前記情報部の情報を実質的に読み取り不可能とする接触部を有する、請求項１から請求項４のいずれかに記載の電子基板ユニット。
【請求項６】
遊技を実現する遊技装置体と、
該遊技装置体を内包する遊技機枠と、
上記請求項１から請求項５のいずれかに記載の電子基板ユニットと、を有する遊技機であって、
前記電子基板ユニットは、前記遊技装置体又は前記遊技機枠に対して着脱自在に設けられている、遊技機。
【発明の詳細な説明】
【技術分野】
【０００１】
本発明は、電子基板ユニット及び遊技機に係り、特に基板ケースに内包された電子基板に対する不正行為の予防及び早期発見に寄与することのできる電子基板ユニット等に関する。
【背景技術】
【０００２】
パチンコ機等の遊技機においては、弾球された球が遊技領域（遊技盤面又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機においては、年々遊技の態様や演出が複雑化・多様化してきており、それに伴い遊技機の動作や演出を制御するための電子基板の構造や機能も複雑化・多様化してきている。このような電子基板に対して不正な破壊や改造が行われると、遊技が適正に行われなかったり、一部の不正な遊技者に対して不当な利益が付与されてしまったりする虞がある。そのため、この電子基板及びその周囲構造に対しては、外部からのアクセスが困難となるような工夫、外部からの不正なアクセスがあった場合にその痕跡や履歴が容易に把握できるような工夫などが為される必要がある。
【０００４】
例えば特許文献１には、複数の基板ケースによって電子基板を内包した基板ケースを備え、この複数の基板ケースの境界を跨ぐようにシールを貼付した遊技機が記載されている。このシールは、識別情報を格納したＩＣチップと読取体に対して識別情報を送信するアンテナとを有する。この遊技機は、基板ケースを分離するためにシールを剥がすとアンテナが破壊し、読取体によって情報を読み取ることができなくなる。よって、外部から不正なアクセスがあった場合の履歴を把握することができる。
【０００５】
また、例えば特許文献２には、ＩＣチップとアンテナを内蔵したテープ型のインレットを、２つの基板ケースの境界を跨ぐように貼着し、その両端に封印シールを各々に貼着した遊技機が記載されている。このテープ型のインレットと封印シールは、貼着成分が異なっており、１の薬品によりテープ型インレットの貼着力を無効としても、封印シールを剥がすことが不可能となるように構成されている。したがって、結果としてテープ型インレットを切断することなく基板ケースを開放することができない効果を得ることができる。また、テープ型インレットを切断すると、ＩＣチップに内蔵された情報が読み取り不可能となり、外部から不正なアクセスがあった場合の履歴を把握することができる。
【０００６】
【特許文献１】特開２００６−３０５０３７号公報
【特許文献２】特開２００８−３６２２８号公報
【発明の開示】
【発明が解決しようとする課題】
【０００７】
しかしながら、特許文献１に記載の遊技機は、シールが剥がされてアンテナが破壊された場合には、ＩＣチップに格納された情報が読み取り不可能となるが、シールが剥がされてもアンテナが破壊されない場合には、ＩＣチップに格納された情報が読み取り可能となり、確実に不正アクセスがあった場合の痕跡を残すことができない虞があった。また、不正に剥がされたシールが再利用されると、更なる被害が拡大する虞があった。
【０００８】
また、特許文献２に記載の遊技機は、複数の薬品によってテープ型インレットのアンテナを切断することなく剥がした場合は、ＩＣチップの情報を読み取ることができ、確実に不正アクセスがあった場合の痕跡を残すことができない虞があった。
【０００９】
本発明は、上記の事情に鑑みて為されたもので、電子基板に対する不正行為を効果的に予防しつつ、そのような不正行為が行われた際により確実にその痕跡を確認することができ、不正行為の予防及び早期発見に寄与することのできる電子基板ユニット及び遊技機を提供することを例示的課題とする。
【課題を解決するための手段】
【００１０】
上記の課題を解決するために、本発明の例示的側面としての電子基板ユニットは、協働して電子基板を内包する複数の基板ケースと、基板ケース同士を結合する結合部材と、複数の基板ケースの合わせ目において、その分離を阻止すべく複数の基板ケースに跨るように固定された封印部材と、を備え、封印部材は、リーダによって読み取り可能な情報を有する情報部を含んでおり、情報部は、結合部材の上方に固定されている。
【００１１】
本発明によれば、基板ケース同士を結合する結合部材によって基板ケースの分離を阻止しているので、外部から電子基板にアクセスするためには結合部材の結合を解除して基板ケースを分離する必要がある。また、結合部材の上方には封印部材の情報部が配置されている。したがって外部から電子基板にアクセスするためには、情報部を破壊又は破壊して結合部材の結合を解除して、基板ケースを分離しなければならない。封印部材の情報部が破壊又は破損することにより情報部の情報の読み取りが実質的に不可能になる。したがって、電子基板への不正アクセスの際に、封印部材にその不正アクセスの痕跡が残存することとなる。
【００１２】
ここにおいて、封印部材は典型的には所謂封印シールであるが、もちろんシールに限られない。基板ケースの合わせ目における分離を阻止することができる部材であればよく、例えば金属部材、樹脂部材等を概念することができる。また、封印シールにおいてもその素材は、紙であっても樹脂フィルムであってもよい。また、封印部材の「固定」は、接着剤や粘着剤による貼付、カシメ、フック等による不可逆的な係合や係止、ネジ等による不可逆的な螺合を含む概念である。
【００１３】
また、情報部は、リーダによって読み取り可能な情報を有するものであればよく、例えば、ＲＦＩＤ（Ｒａｄｉｏ  Ｆｒｅｑｕｅｎｃｙ  Ｉｄｅｎｔｉｆｉｃａｔｉｏｎ）に用いるＲＦタグ（ＩＣチップを含む）を例示できる。また、情報部は、電波によって情報を送信するタグにあっては、タグそのものだけでなく、情報を送信するためのアンテナも含む概念である。また、情報部は、電波によって情報を送信するタグだけでなく、リーダによって読み取り可能な情報を含むものであればよく、例えばバーコードも含む。
【００１４】
なお、情報部の情報が実質的に読み取り不可能な状態とは、情報部の情報が技術的に読み取り不可能な状態のみならず、通常の使用状態では読み取れないが、通常と異なる使用状態においては読み取れる状態も含む概念である。ここでいう通常と異なる使用状態とは、例えば、リーダの感度を飛躍的に向上させることによってのみ読み取り可能な状態や、リーダと情報部との距離を通常の使用状態より近接させることによってのみ読み取り可能な状態である。
【００１５】
また、本発明における上方とは、必ずしも鉛直方向における上方を意味するものではなく、互いの相対位置において一方が他方を覆うような位置関係を意味する。例えば、情報部と結合部材との位置関係は、結合部材への不正アクセスがなされる方向を実質的に遮るように情報部が配置されていればよい。具体的には、外部から着脱工具の適用によりその結合を解除可能に構成された結合部材（例えば、螺子部材。）にあっては、結合部材に対する着脱工具の適用位置に情報部が配置されていればよい。
【００１６】
なお、本発明において基板ケースは、電子基板を内包する全体としてのケースをいう場合と、全体のケースを構成する複数のケース部材１つ１つをいう場合とがある。例えば、協働して電子基板を内包する複数の基板ケースという場合の基板ケースは、全体としての基板ケースを構成するケース部材をいう。そのケース部材が複数協働して全体としてひとまとまりとなったケースを基板ケースという場合もあり、その基板ケースが電子基板を内包する。
【００１７】
また、電子基板ユニットは、情報部が、リーダによって読み取り可能な情報が埋め込まれたＲＦタグと、ＲＦタグのアンテナ部と、を有しており、ＲＦタグとアンテナ部のうち少なくともアンテナ部は、結合部材の上方に配置されており、結合部材による結合を解除することによってＲＦタグの情報が実質的に読み取り不可能となるように構成されている。
【００１８】
ＲＦタグのアンテナ部が結合部材の上方に配置されているため、外部から電子基板にアクセスするために基板ケースを分離すると、アンテナ部が破壊又は破損される。ＲＦタグは、情報を格納しており、比較的強度が高い。一方、アンテナ部は、電波を送信できればよく、ＲＦタグと比較して脆弱であることが多い。このアンテナ部を結合部材の上方に配置することにより、結合部材の結合を解除しようとしてアクセスされた際に、より確実にアンテナ部を破壊又は破損させることができ、不正アクセスの痕跡を残すことが可能となる。
【００１９】
また、複数の基板ケースのうち少なくとも一の基板ケースには、封印部材の位置を定めるための位置決め部が設けられており、封印部材は、位置決め部に基づいて位置決めされることにより、情報部が結合部材の上方に配置されるように構成されている。封印部材の位置決め部を設けることにより、封印部材の位置決めを容易に行い、確実に結合部材の上方に情報部を配置することができる。
【００２０】
ここにおいて、位置決め部は、封印部材を配置する際に、封印部材の位置を決める基準となる部分である。具体的には、基板ケースの表面から突出形成されたリブであって、このリブに沿って封印部材を配置することにより、情報部が結合部材の上方に配置される構成を例示できる。なお、位置決め部は、基板ケースに装着された部品等であってもよいし、基板ケースの一部分（例えば、角部）が位置決め部として機能しているものであってもよい。更に、位置決め部は、複数の基板ケースのうち少なくともいずれかに設けられていればよく、例えば、一方の基板ケースにのみ設けられていてもよいし、複数の基板ケースの両方に設けられてもよい。
【００２１】
封印部材は、外部から視認可能な識別情報を更に有しており、識別情報は、複数の基板ケースの合わせ目近傍の上方に配置されていることが望ましい。封印部材が情報部と識別情報とを有することにより、電子基板ユニットが交換された際に、識別情報によっても不正に交換されたことを把握することが可能となる。また、その識別情報が基板ケースの合わせ目近傍の上方に配置されていることにより、基板ケースを分離した際に、識別情報部分が破損し易くなる。識別情報は、検査者が視認する箇所であり、比較的目立つ箇所である。この比較的目立つ識別情報を破損し易くすることにより、不正に開放されたことを検出し易くなる。
【００２２】
更に、基板ケース同士の合わせ目部分を非直線状にすることにより、基板ケースを分離する際に、カッター等で直線上に切断することが難しくなり、切断面を目立ち易くすることができる。また、封印部材が固定された状態で無理やり基板ケースを分離すると、封印部材が各基板ケースに固定された状態で切断され、封印部材が分離し易くなる。すなわち、基板ケースを分離する際に、封印部材がより破損又は切断しやすくなり、不正に分離したことによる痕跡をより確実に残すことが可能となる。
【００２３】
また、電子基板ユニットは、封印部材を覆うカバー部材を更に備え、カバー部材は、基板ケースに対して着脱自在に構成されており、基板ケースから取り外される際に結合部材の上方に固定された封印部材を破りリーダによる情報部の情報を実質的に読み取り不可能とする接触部を有することが望ましい。
【００２４】
カバー部材を設けることにより、基板ケース同士の合わせ目をカバー部材によっても覆うことができ、更に基板ケースの分離をし難くすることができる。また、カバー部材によって、封印部材を保護することができ、不正アクセス以外で封印部材が破損することを防ぐことができる。なお、識別情報を有する封印部材を覆うカバー部材にあっては、カバー部材に識別情報を視認するための窓部を設けることが望ましい。窓部を設けることにより、カバー部材によって識別情報を保護しつつ、識別情報の視認性を確保することができる。
【００２５】
カバー部材は、典型的にはアクリル、ポリカーボネート等の透光性樹脂材料で形成された樹脂部材である。もちろん、カバー部材にも封印部材と同様に複数の基板ケースの分離を阻止する機能が付与されていてもよい。具体的には、カバー部材が複数の基板ケースに跨って接着又は溶着されていたり、係止フックによって取り外し不可能に係止されていたり、カシメられていてもよい。
【００２６】
また、基板ケースから取り外される際に封印部材を破る接触部を設けることにより、基板ケースを分離するためにカバー部材を外そうとすると接触部が封印部材を破り、実質的にリーダによる情報部の情報の読み取りが不可能となる。したがって、カバー部材の取り外しによっても、電子基板への不正アクセスの際に、封印部材にその不正アクセスの痕跡が残存することとなる。
【００２７】
なお、接触部による封印部材を破った状態とは、封印部材が壊されたり、裂けたり、傷ついた状態であり、必ずしも分裂した状態を意味するものではなく、破られることにより情報の読み取りが実質的に不可能となるあらゆる状態を含むものである。
【００２８】
具体的な構成としては、結合部材を基板ケースより接触部側に突出させて、基板ケースからカバー部材を取り外す際に接触部が結合部材の上方の情報部と接触して封印部材を破るように構成してもよい。結合部材を突出させて情報部を接触部側に突出させることにより、カバー部材が取り外される際に情報部と接触部とを接触させ易くし、接触部によって情報部を破損又は破壊させることができる。
【００２９】
他の具体的な構成としては、結合部材と封印部材との間に空間を形成するとともに、接触部を封印部材側に突出させて、基板ケースからカバー部材を取り外す際に接触部が空間内に侵入して封印部材を破るように構成していてもよい。この構成によっても、カバー部材が取り外された際に接触部によって封印部材を破り、情報部の読み取りを実質的に不可能とすることができる。
【００３０】
また、電子基板ユニットは、基板ケース同士の係合状態を保持するとともに、係合を解除された際の痕跡を残留させる残留痕跡部を更に備えることが望ましい。結合部材の結合を解除しようとすると、封印部材の情報部が破損又は破壊され、不正アクセスを検出することができる。しかし、封印部材は、一部が破損しており、新たな封印部材に交換することが必要となる。また、封印部材の情報が個々の基板ケースに対応している場合には、電子基板ユニット毎交換することが必要となり、封印部材が破損した電子基板ユニットは廃棄する場合もある。
【００３１】
このような廃棄する封印部材及び電子基板ユニットを少なくするために、係合を解除された痕跡を残留させる痕跡残留部を設けることが好ましい。痕跡残留部は、基板ケース同士の係合状態を保持しており、係合状態を解除するには、残留痕跡部の保持状態を解除する必要がある。したがって、基板ケースの係合を解除する作業に手間と時間が掛かるようにすることができ、基板ケースの不正開放を抑止することができる。更に、痕跡残留部の存在により、不正に基板ケースを開放する者に対して係合を解除しても痕跡が残ることを認識させることができる。すなわち、残留痕跡部を設けることにより、係合状態を解除する不正行為を効果的に抑止して、基板ケースが不正に開放されることを防ぎ、廃棄する制御基板を少なくすることができる。
【００３２】
また、本発明の他の例示的な側面としての遊技機は、遊技を実現する遊技装置体と、遊技装置体を内包する遊技機枠と、上記に記載の電子基板ユニットと、を有する遊技機であって、電子基板ユニットは、遊技装置体又は遊技機枠に対して着脱自在に設けられている。
【００３３】
この遊技機によれば、上記の電子基板ユニットを有しているので、この遊技機の電子基板に不正行為者が不正アクセスするのを有効に予防することができる。更に、万一不正アクセスがされた場合であっても、その痕跡が発見容易とされている。したがって、この遊技機は、不正行為者による不正行為を排除し、一般遊技者による安全かつ安心な遊技に資することができる。
【００３４】
なお、遊技装置体とは、遊技機における遊技を実現するものであり、例えば、パチンコ遊技機であれば、遊技媒体の流下による遊技を実現する遊技盤、スロットマシンであれば、絵柄の組合せによる遊技を実現するリールを例示できる。また、電子基板ユニットは、遊技装置体又は遊技機枠に対して装着できる構成であればよく、遊技装置体又は遊技機枠に対して直接装着できる構成であってもよいし、遊技装置体又は遊技機枠との間に部材が配置され、遊技装置体又は遊技機枠に対して間接的に装着できる構成であってもよい。
【００３５】
また、遊技機枠とは、遊技装置体を内包する枠部材又は枠部材の集合体であって、遊技装置体の側方や前方を囲むためのものである。例えば、遊技機がパチンコ遊技機である場合には、遊技装置体としての遊技盤を内包する筐体枠、機枠又は前面枠若しくはこれらの組合せ等が遊技機枠に該当し、遊技機がスロットマシンである場合には、遊技装置体としてのリール（回胴装置）を内包するキャビネット（筐体枠及び／又は前面枠）が遊技機枠に該当する。もちろん、パチンコ遊技機やスロットマシン以外の遊技機においても、それら遊技機における遊技を実現する遊技装置体（例えば、コインゲーム機における遊技盤やアーケードマシンにおけるゲーム画像表示装置等）を内包する枠部材等がこの遊技機枠に該当する。
【００３６】
本発明の更なる目的又はその他の特徴は、以下添付図面を参照して説明される好ましい実施の形態によって明らかにされるであろう。
【発明の効果】
【００３７】
本発明によれば、基板ケース同士を結合する結合部材の結合を解除しようとすることにより、封印部材の情報部が破壊又は破損するため、不正アクセスの痕跡を確実に残すことができる。したがって、電子基板に対する不正行為を効果的に予防しつつ、そのような不正行為が行われた際に簡便かつ確実にその痕跡を確認することができて、不正行為の予防及び早期発見に寄与することができる。
【発明を実施するための最良の形態】
【００３８】
［実施の形態１］
以下、本発明の実施の形態１について図面を用いて説明する。図１は、本発明の実施の形態に係る遊技機としてのパチンコ機２の正面図である。図２は、図１に示すパチンコ機２の背面図である。このパチンコ機２は、枠体３、遊技盤（遊技装置体）６、前面ガラス（前面透明板）１０、発射ユニット（不図示）、貯留皿１４を有し、遊技盤６には、遊技媒体としての球２３の流下による遊技を実現するための遊技領域が形成されている。また、遊技盤６の裏面側には、主制御基板ユニット（電子基板ユニット）Ｕ（図２参照）が取り付けられているが、詳細は後述する。
【００３９】
パチンコ機２は、後述する発射ハンドル１５を遊技者が操作することによって、遊技領域１６に向けて球２３が発射ユニットによって発射され、球２３の流下による遊技が実現される。なお、遊技機は、パチンコ機２の他にパチンコ式スロットマシン機、コインゲーム機等のアーケードマシン、各種ゲーム機を概念することができ、要するに、遊技媒体を用いた遊技を実現する遊技装置体を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）を実現するいわゆる１種タイプのパチンコ機について例示説明する。
【００４０】
パチンコ機２の枠体３は、遊技盤６を含む遊技盤ユニットを保持するためのもので、このパチンコ機２の周囲及び前方又はそれに加えて後方を囲むように構成される。枠体３の内部側には、遊技盤ユニットの他にも後述する各種電子基板や遊技媒体用の経路等各種機構部品が配置され、枠体３によって周囲側面及び前面又はそれに加えて後方からのパチンコ機２内部側への不正アクセスが防止されるようになっている。
【００４１】
パチンコ機２の周囲を囲む筐体枠４、その内側にヒンジ部（揺動支持部）２２によって前方開閉可能に揺動支持されて遊技盤ユニットを保持する機枠９、機枠９の前方にヒンジ部２２によって前方開閉可能に揺動支持されて前面ガラス１０とその周囲を装飾する装飾部材３２とを保持する装飾枠１２とを有して枠体３が構成される。なお、前面ガラス１０は、枠体３内部側に保持された遊技盤６を前方から遊技者が視認することができるようにするための透明部材である。
【００４２】
貯留皿１４は、遊技者の持ち球を貯留するためにパチンコ機２の前面に配置された皿部材であって、本実施の形態１においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００４３】
遊技盤ユニットは、遊技盤面（表面）６ａ側の略中央にセンター役物７が配置された遊技盤６を有しており、その遊技盤面６ａには多数の遊技釘も配置されている。センター役物７の中央部には、図柄表示装置７ａが配置されるとともに、この図柄表示装置７ａの表示画面（映像表示面）７ｂを露出させるための開口部７ｄが形成されている。
【００４４】
図柄表示装置７ａは、例えば、液晶表示装置・有機ＥＬディスプレイ・ＬＥＤ等により構成されて遊技者が遊技盤面６ａ側から視認可能となるように配置され、その表示画面７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００４５】
遊技盤６は、その遊技盤面６ａ側に球２３の流下による遊技を実現するための遊技領域１６を構成するための遊技装置体であり、遊技盤面６ａを前方から遊技者にとって視認可能となるように枠体３（本実施の形態１においては、枠体３の一部としての機枠９。）に保持されている。その遊技盤面６ａには略円形状に周囲を囲むようにレール飾りが取り付けられており、レール飾りの内周面が遊技盤面６ａに対して立設するように配置されている。そして、その内周面によって画定され、内周面に面した略円形状の領域が遊技領域１６となっている。
【００４６】
遊技釘は、遊技領域１６を流下する球２３と衝突してその流下方向を変更させるものであり、多数が遊技領域内に配置されている。また、遊技領域１６には、普通入賞口２８、中央始動口２９、及び中央大入賞口３１等が配置されており、流下する球２３が各流入口に流入したり、遊技釘に衝突したりすることによって、球２３による流下遊技を楽しむことができるようになっている。
【００４７】
図示しない球発射装置により球２３が発射されると、球２３はレール飾りの内周面に沿いつつ進行して遊技領域１６内の上部に至る。その後、球２３は、複数の通過軌跡に沿って移動し、遊技釘に衝突しつつ遊技領域１６を下方に流下する。あるものは普通入賞口２８に流入して一定数の景品球払出しの契機となり、あるものは通過ゲート３３を通過し、あるものはいずれの入賞口にも流入せずに遊技領域内最下部に位置するアウト口３０に流入してアウト球としてパチンコ機２の外部側へと排出される。
【００４８】
球２３が通過ゲート３３を通過すると、その通過ゲート３３の通過に起因して状態変更抽選手段（不図示）による抽選が行われ、その抽選結果が当たりの場合に、中央始動口２９の開閉羽根が開放され、球が入球し易い状態を実現する。この中央始動口２９に流入すると、その流入に起因して図柄表示装置７ａの表示図柄７ｃが回転表示を開始し、その表示図柄７ｃが所定の図柄（例えば、「７・７・７」。）で停止表示すれば、図柄変動遊技における大当りが発生する。そして、中央大入賞口３１が開放して多量の入賞球を受け入れ、多量の景品球が貯留皿１４へと払い出されるようになっている。
【００４９】
遊技盤６の裏面側には、パチンコ機２の全体の制御を行う主制御基板（電子基板）３４を有する主制御基板ユニットＵが配置されている。その主制御基板ユニットＵは、主制御基板３４、主制御基板３４を内包する主制御基板ケース（基板ケース）３５、後述する封印シール（封印部材）４１、保護カバー（カバー部材）４２を有して構成されている。
【００５０】
また、遊技盤６の裏面側には、図柄表示装置７ａの画像演出の制御を行う画像制御基板（図示せず）を収容した画像制御基板ケース３６と、景品球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００５１】
なお、本実施の形態１では、主制御基板３４について例示して説明するが、他の制御基板についても同様の構造を採用することが可能である。すなわち、画像制御基板（電子基板）、画像制御基板ケース（基板ケース）、封印シール及び保護カバーを有して画像制御基板ユニット（電子基板ユニット）を構成することが可能である。同様に、払出制御基板（電子基板）、払出制御基板ケース（基板ケース）、封印シール及び保護部材を有して払出制御基板ユニット（電子基板ユニット）を構成したり、電源基板（電子基板）、電源基板ケース（基板ケース）、封印シール及び保護部材を有して電源基板ユニット（電子基板ユニット）を構成することが可能である。
【００５２】
以下、本発明の実施の形態１に係る主制御基板ユニット（電子基板ユニット）の構造について、図３〜図５を用いて説明する。以下の説明においては、上下及び前後左右の方向は、遊技者からパチンコ機２を見た際の方向に基づいて定義し、図中に適宜図示する。
【００５３】
図３は、主制御基板ユニットＵの平面図であり、図４は、主制御基板ユニットＵの分解斜視図である。主制御基板ケース３５は、遊技盤６の裏面側に着脱自在に固定される本体ケース（基板ケース）３５ａと、本体ケース３５ａに対して着脱自在に固定される蓋ケース（基板ケース）３５ｂとの２つの基板ケースを有し、これら両者が協働して主制御基板３４を内部に内包するようになっている。主制御基板３４は、蓋ケース３５ｂの内面側に形成された開口部に固定されて、蓋ケース３５ｂと本体ケース３５ａとが係合することにより、主制御基板ケース３５の内部に収容されるようになっている。この収容された状態では、主制御基板３４に対して外部から接触することはできない。
【００５４】
主制御基板３４の表面（ここでいう表面は、前面側である場合と後面側である場合とを含む。）には、ＲＯＭ、ＲＡＭ、ＣＰＵ等の電子デバイス、接続コネクタ等を含む電子部品３４ｂが実装されている。主制御基板３４の周囲には、固定部としての固定穴３４ａが形成されている。主制御基板３４の後側から固定穴３４ａに固定ネジを挿入して、この固定ネジと蓋ケースのネジ穴とをネジ止めすることにより、主制御基板３４が蓋ケース３５ｂ内に固定されるようになっている。
【００５５】
主制御基板ケース３５の下側部には、ヒンジ部が設けられている。ヒンジ部は、本体ケース３５ａの下側壁面に沿った軸部（図示せず）と、この軸部に係止される蓋ケース３５ｂ側の円弧状の弧状爪部３５ｅと、を有して構成され、軸部は本体ケース３５ａに形成され、弧状爪部３５ｅは蓋ケース３５ｂに形成されている。蓋ケース３５ｂは本体ケース３５ａに対して軸部を中心として揺動可能に支持されており、蓋ケース３５ｂが本体ケース３５ａに対して回転移動することより、主制御基板ケース３５の開口部を開放した開状態と閉鎖した閉状態とを実現する。
【００５６】
主制御基板ケース３５の上側部には、痕跡残留部としての封止部が形成されている。封止部は、主制御基板ケース３５の上側部において、後述する不正開放検出構造を挟んだ左右側方に配置されている。封止部は、本体ケース３５ａの上側壁面に対して突出して形成された本体カシメ部３５ｇと、蓋ケース３５ｂに連結部材３５ｈを介して接続された蓋カシメ部３５ｋと、本体カシメ部３５ｇと蓋カシメ部３５ｋとの間に収容可能な封止片３５ｍと、からなる。
【００５７】
封止片３５ｍは、「ロック」の文字が印字された表面が前方に位置する第一状態又は表面が後側に位置する第二状態で各カシメ部に収容される。本体カシメ部３５ｇ内に封止片３５ｍを第一状態で配置して基板ケースを閉状態とすると、封止片３５ｍは本体カシメ部３５ｇ及び蓋カシメ部３５ｋと嵌合して、主制御基板ケース３５の閉状態が保持される封止状態となる。一方、本体カシメ部３５ｇに封止片３５ｍを第二状態で配置して基板ケースを閉状態とすると、封止片３５ｍは本体カシメ部３５ｇ及び蓋カシメ部３５ｋと嵌合せず、基板ケースの閉状態は保持されない。
【００５８】
したがって、主制御基板ケース３５を閉状態で封止する際には、いずれかの封止片３５ｍを第一状態として各カシメ部に配置し、他の封止片３５ｍを第二状態として各カシメ部に配置して、基板ケースを閉状態とする。これにより、主制御基板ケース３５は、封止状態となる。
【００５９】
このような封止部によって主制御基板ケース３５を封止することにより、封止状態を解除することは困難であり、主制御基板ケース３５を開封するためには、第一状態の封止片３５ｍを収容した蓋カシメ部３５ｋと連結された連結部材３５ｈを切断して、この蓋カシメ部３５ｋを蓋ケース３５ｂから切り離すことが必要である。したがって、主制御基板ケース３５を開封した後は、連結部材３５ｈを切断した痕跡が残り、主制御基板ケース３５が不正に開放されたことを検出することができる。
【００６０】
しかし、連結部材３５ｈを切断した痕跡は、主制御基板ケース３５を視認しなければ検出できず、主制御基板ケース３５が不正に開放されたことを早期に発見できない虞がある。この対策として、本実施の形態１に係る主制御基板ユニットＵは、封止部と合わせて不正開放検出構造を備えている。
【００６１】
また、主制御基板ケース３５の右側部には、痕跡残留部としての本体封止部が形成されている。本体封止部は、蓋ケース３５ｂに形成された蓋カシメ部３５ｋと、本体カシメ部と同様の構造であって遊技盤６の裏面側の取付基板に設けられた盤カシメ部（図示せず）と、各カシメ部に収容される封止片３５ｍと、を有する。本体封止部によって、主制御基板ユニットＵと遊技盤６とを固定した状態で保持することができるとともに、主制御基板ユニットＵが外された場合の痕跡を残し、主制御基板ユニットＵが不正に取り外されたことを検出することができる。
【００６２】
主制御基板ケース３５の上側部には、不正開放検出構造が設けられている。不正開放検出構造は、不正行為者による主制御基板ケース３５の不正開放を予防し、また、万一不正に開放された際に、その不正開放の痕跡を残存させるためのものである。図５は、この不正開放検出構造を拡大して示す分解拡大図である。不正開放検出構造は、本体ケース３５ａと蓋ケース３５ｂとが合わさった部分に設けられており、両ケース３５ａ，３５ｂの境界線（合わせ目）３５ｆを有している。この境界線３５ｆは、非直線状であり、本体ケース３５ａと蓋ケース３５ｂとが交互にかみ合うような凹凸形状である。
【００６３】
境界線３５ｆの近傍部分には、結合部材としての第１ネジ部３５ｐ及び第２ネジ部３５ｑが設けられている。第１ネジ部３５ｐは、蓋ケース３５ｂの前面側から本体ケース３５ａに形成されたネジ穴３５ｒと螺合することにより、本体ケース３５ａと蓋ケース３５ｂとを結合する。第２ネジ部３５ｑは、後述する保護カバー４２の後面側から本体ケース３５ａに形成されたネジ穴３５ｒと螺合することにより、本体ケース３５ａと保護カバー４２とを結合する。本体ケース３５ａと蓋ケース３５ｂとが第１ネジ部３５ｐによって結合された状態において、第１ネジ部３５ｐの頭部の上面を覆いかつ境界線３５ｆを跨るように封印シール４１が貼付されている。
【００６４】
図６は、封印シール４１の表面及び裏面を模式的に示した図である。図７は、図３に示す主制御基板ユニットＵのＡ−Ａ断面図である。封印シール４１は、長方形状であり、表面には識別情報としてのシリアル番号４１ａが印刷されている。封印シール４１の裏面には、シリアル番号４１ａ等個々の遊技機を特定するための情報を格納したＩＣチップ４１ｂと、ＩＣチップ４１ｂの情報を電波によって送信するためのアンテナ部４１ｃと、が貼付されている。ＩＣチップ４１ｂは、封印シール４１の略中央に配置されており、アンテナ部４１ｃは対角線に沿って配置されている。
【００６５】
ＩＣチップ４１ｂに格納された情報は、アンテナ部４１ｃが電波によって送信可能に構成されており、図示しないリーダを用いて情報を読み取ることが可能である。アンテナ部４１ｃには、電波によって情報を送信するためのループを構成するためのスリットが設けられており、このスリットの近傍に切り欠き部４１ｄが形成されている。切り欠き部４１ｄが形成されていることにより、封印シール４１が剥がされたり封印シール４１に外部から力が加えられたりした際に、アンテナ部４１ｃが破損して情報送信が不可能となり、不正アクセスの痕跡を残存させることができる。
【００６６】
本体ケース３５ａの境界線３５ｆ近傍には、位置決め部としてのケースリブ３５ｓが形成されている。ケースリブ３５ｓは、封印シール４１の左側部と右側部とに沿う位置に突出形成されており、このケースリブ３５ｓに封印シール４１の左側部又は右側部を合わせて封印シール４１を貼付することにより、アンテナ部４１ｃが第１ネジ部３５ｐの真上に配置される。第１ネジ部３５ｐによる結合を解除するために封印シール４１の上から第１ネジ部３５ｐにアクセスしようとすると、アンテナ部４１ｃが破壊されＩＣチップ４１ｂの情報が読み取り不可能となる。
【００６７】
本実施の形態１においては、封印シール４１は紙製であるが、もちろん封印部材がプラスチックフィルムや布、金属板等であってもよい。また、本実施の形態１においては、封印シール４１の裏面が接着面とされており、封印シール４１が両ケース３５ａ，３５ｂに接着貼付されることにより固定されるが、封印部材の固定は接着に限られない。溶着、ネジ止め等様々な固定方法であってよい。
【００６８】
本体ケース３５ａと蓋ケース３５ｂが第１ネジ部３５ｐによって結合されているので、両ケースの分離が防止され、外部から主制御基板３４へのアクセスが防止されている。そして、封印シール４１は第１ネジ部３５ｐを覆うように貼付されており、本体ケース３５ａと蓋ケース３５ｂとを分離するために第１ネジ部３５ｐの結合を解除しようとすると、封印シール４１のアンテナ部４１ｃが破損又は切断して、ＩＣチップ４１ｂの情報が読み取り不可能な状態となる。したがって、本体ケース３５ａと蓋ケース３５ｂとが分離された場合には、封印シール４１のアンテナ部４１ｃが破損又は破壊されており、必ず不正アクセスの痕跡が残存する。更に、リーダを用いてＩＣチップ４１ｂの情報を読み取ることにより不正開放を検出することができるため、目視のみの検出と比較して、不正に開放されたことを何人も容易に検出することができる。
【００６９】
また、封印シール４１の不測の破損を防止するために、封印シール４１を覆うように保護カバー４２が取り付けられている。保護カバー４２が取り付けられていることにより、封印シール４１が外部に対して非露出状態となり、パチンコ機２の組付け時やメンテナンス時等において、意図せず封印シール４１を破損してしまうということが防止されるようになっている。
【００７０】
保護カバー４２は、例えばアクリル、ポリカーボネート等の透光性材料で形成されている。本実施の形態１においては、保護カバー４２は、透明な樹脂成型品である。この保護カバー４２は、実質的に封印シール４１を覆って保護カバー４２を介して外部から境界線３５ｆに対応する封印シール４１のシリアル番号を視認し易くするための窓部４２ａを有している。
【００７１】
窓部４２ａは、保護カバー４２の屈曲部に形成された傾斜面である。保護カバー４２は、本体ケース３５ａ及び蓋ケース３５ｂが結合した状態で、両ケースの外側面に沿った内側面を有している。封印シール４１のシリアル番号４１ａは、本体ケース３５ａの屈曲部に配置されており、シリアル番号４１ａを覆うように保護カバー４２の屈曲部が配置される。保護カバーの屈曲部によってシリアル番号４１ａを覆うと、屈曲部のゆがみにより検査者がシリアル番号４１ａを視認し難くなる虞がある。
【００７２】
しかし、窓部４２ａを設けることにより、シリアル番号４１ａの視認性を確保することができる。シリアル番号４１ａに不正行為の痕跡があった場合に、ＩＣチップ４１ｂに格納された情報の読み取りと併せて容易かつ迅速にその痕跡を発見、確認することができる。更に、ＩＣチップ４１ｂに格納された情報とシリアル番号４１ａとを関連付けることにより、ＩＣチップ４１ｂ内の情報とシリアル番号４１ａとを相互チェックして、不正に交換されていないかを確認することができる。
【００７３】
また、封印シール４１を覆うように保護カバー４２が取り付けられた状態で、保護カバー４２と本体ケース３５ａは、第２ネジ部３５ｑによって固定されている。第２ネジ部３５ｑは保護カバー４２の後面側から本体ケース３５ａのネジ穴３５ｒら侵入してネジ穴３５ｒと螺合しており、保護カバー４２と本体ケース３５ａとの結合を解除するためには、本体ケース３５ａの後面側から第２ネジ部３５ｑを操作する必要がある。しかし、主制御基板ユニットＵは、パチンコ機２の遊技盤６の裏面側に取り付けられた状態において後面に空間がなく、第２ネジ部３５ｑにアクセスすることはできない。したがって、主制御基板ユニットＵがパチンコ機２の遊技盤６の裏面側に取り付けられた状態において、保護カバー４２の取り外しを防止することができ、不正アクセスを防止することができる。
【００７４】
更に、主制御基板ユニットＵは、本体封止部によって遊技機枠に固定されており、分離できないように構成されている。このように、保護カバー４２を本体ケース３５ａに第２ネジ部３５ｑによって固定するとともに、主制御基板ユニットＵを本体封止部によって遊技盤６の裏面側に固定することにより、主制御基板ユニットＵがパチンコ機２に取り付けられた状態において、保護カバー４２の取り外しを防止することができ、不正アクセスを効果的に防止することができる。
【００７５】
以上、本発明の好ましい実施の形態１を説明したが、本発明はこれらに限定されるものではなく、その要旨の範囲内で様々な変形や変更が可能である。
【００７６】
［実施の形態２］
次いで、図８から図１０に基づいて、実施の形態２に係る主制御基板ユニットについて詳細に説明する。実施の形態２に係る主制御基板ユニットは、カバー部材を基板ケースから取り外す際に、封印部材を破る接触部をカバー部材に設けた実施形態である。なお、実施の形態１と同様の構成については同符号を用いて説明を省略する。
【００７７】
図８は、実施の形態２に係る主制御基板ユニットの不正開放検出構造を拡大して示す分解斜視図である。実施の形態２に係る不正開放検出構造は、本体ケース３５ａと蓋ケース３５ｂの境界線において、その分離を阻止すべく両ケースに跨るように固定された封印部材としての封印シール４１と、両ケースに固定された封印シール４１を覆う保護カバー４２と、両ケースを固定する第１ネジ部３５ｐと、を有し、保護カバー４２は、両ケースに対して着脱自在に構成されており、両ケースから取り外される際に封印シール４１を接触部としての爪部４２ｂが形成されている。爪部４２ｂが封印シール４１を破ることにより、リーダによる情報部の情報の読み取りが実質的に不可能となる。
【００７８】
第１ネジ部３５ｐは、蓋ケース３５ｂの前面側から本体ケース３５ａ及び蓋ケース３５ｂに形成されたネジ穴３５ｒと螺合することにより、本体ケース３５ａと蓋ケース３５ｂとを結合する。本体ケース３５ａと蓋ケース３５ｂとが第１ネジ部３５ｐによって結合された状態において、第１ネジ部３５ｐの頭部の上面を覆いかつ本体ケース３５ａと蓋ケース３５ｂとの境界線３５ｆを跨るように封印シール４１が貼付されている。本体ケース３５ａと蓋ケース３５ｂとが第１ネジ部３５ｐによって結合された状態において、第１ネジ部３５ｐの頭部は蓋ケース３５ｂの表面より突出して配置されている。
【００７９】
本体ケース３５ａの境界線３５ｆ近傍には、位置決め部としてのケースリブ３５ｓが形成されている。ケースリブ３５ｓは、封印シール４１の左側部と右側部とに沿う位置に突出形成されており、このケースリブ３５ｓに封印シール４１の左側部又は右側部を合わせて封印シール４１を貼付することにより、アンテナ部４１ｃが第１ネジ部３５ｐの真上に配置される。第１ネジ部３５ｐの頭部は蓋ケース３５ｂの表面より突出して配置されているため、アンテナ部４１ｃは、封印シール４１の表面から突出して配置される。
【００８０】
また、封印シールを覆うように保護カバー４２が設けられており、封印シール４１の不測の破損が防止される。保護カバー４２が取り付けられていることにより、封印シール４１が外部に対して非露出状態となり、パチンコ機２の組付け時やメンテナンス時等において、意図せず封印シール４１を破損してしまうということが防止されるようになっている。
【００８１】
保護カバー４２における封印シール４１のアンテナ部４１ｃと対向する面には、爪部４２ｂが形成されている。爪部４２ｂは、保護カバー４２を両ケースから取り外す方向に移動することにより、第１ネジ部３５ｐ上に配置された封印シール４１と接触し、封印シール４１のアンテナ部４１ｃを断線させ、リーダによる情報の読み取りを不可能にするように形成されている。図９は、主制御基板ユニットの保護カバー部分を拡大した拡大断面図である。（ａ）は、両ケースに保護カバー４２を装着する過程の状態を示しており、（ｂ）は、両ケースに保護カバーが装着された状態を示しており、（ｃ）は、保護カバーを両ケースから取り外す過程の状態を示している。
【００８２】
保護カバー４２の封印シール４１との対向面には、ケースリブ３５ｓと対向して配置され、かつケースリブ３５ｓに向かって突出形成されたカバーリブ４２ｃが設けられている。保護カバー４２を両ケースに装着する際は、保護カバー４２のカバーリブ４２ｃとケースリブ３５ｓとを当接して配置し、カバーリブ４２ｃがケースリブ３５ｓに沿うように保護カバーをＸ方向に移動する。このように装着することにより、爪部４２ｂがアンテナ部４１ｃから離間するＰ方向に保護カバー４２が弾性変形して、爪部４２ｂとアンテナ部４１ｃとを接触させずに、保護カバー４２を両ケースに取り付けることができる。（ａ）は、保護カバー４２を両ケースに装着する過程の状態であり、爪部４２ｂとアンテナ部４１ｃは接触していない。
【００８３】
保護カバー４２の内面と両ケース３５ａ、３５ｂの外面が当接するまで、保護カバー４２をＸ方向に移動した後、保護カバー４２をＺ方向（図８参照）に移動することにより、カバーリブ４２ｃがケースリブ３５ｓの上方から側方に移動し、保護カバー４２の弾性変形が解除される。弾性変形が解除されることにより、爪部４２ｂが封印シール４１に近づくようにＱ方向に移動して、保護カバー４２が両ケースに装着する。（ｂ）は、保護カバー４２の弾性変形が解除されて、保護カバーが両ケースに装着した状態である。図１０は、（ｂ）のＢ部分を拡大した部分拡大図である。
【００８４】
保護カバー４２を両ケースに装着した後、保護カバー４２を両ケースから取り外そうとして保護カバー４２をＹ方向に移動すると、（ｃ）に示すように爪部４２ｂと第１ネジ部３５ｐ上の封印シール４１とが接触する。第１ネジ部３５ｐ上には、アンテナ部４１ｃが配置されており、保護カバー４２を更にＹ方向に移動すると、爪部４２ｂによってアンテナ部４１ｃが破損又は破壊される。このように保護カバー４２を両ケースから取り外そうとすると、アンテナ部４１ｃが破壊されＩＣチップ４１ｂの情報が読み取り不可能となる。主制御基板３４にアクセスするには、保護カバー４２を両ケースから外して、各ケースを分離しなければならないが、保護カバー４２を外すことによりアンテナ部４１ｃが破壊されるため、不正に主制御基板３４にアクセスしようとした痕跡を確実に残すことが可能となる。
【００８５】
本体ケース３５ａと蓋ケース３５ｂが第１ネジ部３５ｐによって結合された状態で、両ケースの分離を阻止すべく両ケースに跨るように封印シール４１が固定され、この封印シールを覆うように保護カバー４２が設けられている。主制御基板３４への不正アクセスのために保護カバー４２を取り外そうとすると、封印シール４１のアンテナ部４１ｃが破損又は破壊され、ＩＣチップ４１ｂの情報を読み取り不可能な状態となる。したがって、もし本体ケース３５ａと蓋ケース３５ｂとが分離された場合は、封印シール４１のアンテナ部４１ｃが切断され、必ずその痕跡が残存するようになっている。更に、リーダを用いてＩＣチップ４１ｂの情報を読み取ることにより不正開放を検出することができるため、目視のみの検出と比較して、何人も不正に開放されたことを容易に検出することができる。
【００８６】
更に、本体ケース３５ａと蓋ケース３５ｂが第１ネジ部３５ｐによって結合されているので、両ケースの分離が防止され、外部から主制御基板３４へのアクセスが防止されている。そして、封印シール４１は第１ネジ部３５ｐを覆うように貼付しており、本体ケース３５ａと蓋ケース３５ｂとを分離するために第１ネジ部３５ｐの結合を解除しようとすると、封印シール４１のアンテナ部４１ｃが破損又は破壊され、ＩＣチップ４１ｂの情報が読み取り不可能な状態となる。したがって、本体ケース３５ａと蓋ケース３５ｂとが分離された場合には、封印シール４１のアンテナ部４１ｃが破損又は破壊されており、必ず不正アクセスの痕跡が残存する。すなわち、実施の形態２に係る主制御基板ケースユニットは、カバー部材を基板ケースから取り外すこと、及び結合部材による結合を解除しようとすることによって、封印シールのアンテナ部４１ｃが破損又は破壊されるため、確実に不正開放の痕跡を残すことが可能である。
【００８７】
更に、上記実施の形態２においては、情報部が接触部側に突出して配置された構成について説明したが、本発明に係る接触部の構成は、この構成に限られず変形例を概念することができる。次いで、変形例に係る主制御基板ケースについて、図１１から図１３に基づいて詳細に説明する。図１１は、変形例に係る主制御基板ユニットＵの不正開放検出構造の断面を拡大して示す分解斜視図である。図１２は、主制御基板ユニットＵの不正開放検出構造の分解斜視図である。なお、図１１は、説明の便宜のため、不正開放検出構造部分のみを示すように主制御基板ユニットを任意の断面で切断している。また、上記実施の形態と同様の構成については同符号を用いて説明を省略する。
【００８８】
不正開放検出構造は、本体ケース３５ａと蓋ケース３５ｂの境界線において、その分離を阻止すべく両ケースに跨るように固定された封印部材としての封印シール４１と、両ケースに固定された封印シール４１を覆う保護カバー４２と、を有する。蓋ケース３５ｂの封印シールが貼付される面には、空間としての窪み部３５ｔが形成されている。保護カバー４２は、両ケースに対して着脱自在に構成されており、両ケースから取り外される際に窪み部３５ｔに侵入して封印シール４１を破る接触部としての爪部４２ｂが形成されている。爪部４２ｂが封印シール４１を破ることにより、リーダによる情報部の情報の読み取りが実質的に不可能となる。
【００８９】
爪部４２ｂは、保護カバー４２を両ケースに装着する際の先端部に形成されている。保護カバー４２を両ケースから取り外す方向に移動することにより、封印シール４１が貼付された窪み部３５ｔに爪部４２ｂが侵入して、封印シール４１のアンテナ部４１ｃが断線して、リーダによる情報の読み取りを不可能となるように構成されている。図１３は、実施の形態２に係る主制御基板ユニットＵの保護カバー部分を拡大した拡大断面図である。（ａ）は、両ケースに保護カバー４２を装着する過程の状態を示しており、（ｂ）は、両ケースに保護カバーが装着された状態を示しており、（ｃ）は、保護カバーを両ケースから取り外す過程の状態を示している。
【００９０】
保護カバー４２を両ケースに装着する際は、保護カバー４２の表面に形成されたカバーリブ４２ｃとケースリブ３５ｓとを当接して配置し、カバーリブ４２ｃがケースリブ３５ｓに沿うように保護カバーをＸ方向に移動する。このように装着することにより、爪部４２ｂがアンテナ部４１ｃから離間するＰ方向に保護カバー４２が弾性変形して、爪部４２ｂとアンテナ部４１ｃとを接触させずに、保護カバー４２を両ケースに取り付けることができる。（ａ）は、保護カバー４２を両ケースに装着する過程の状態であり、爪部４２ｂとアンテナ部４１ｃは接触していない。
【００９１】
保護カバー４２の内面と両ケース３５ａ、３５ｂの外面が当接するまで、保護カバー４２をＸ方向に移動した後、保護カバー４２をＺ方向（図１１参照）に移動することにより、カバーリブ４２ｃがケースリブ３５ｓの上方から側方に移動し、保護カバー４２の弾性変形が解除される。弾性変形が解除されることにより、爪部４２ｂが封印シール４１に近づくようにＱ方向に移動して、保護カバー４２が両ケースに装着する。（ｂ）は、保護カバー４２の弾性変形が解除されて、保護カバーが両ケースに装着した状態である。
【００９２】
保護カバーを基板ケースに装着した後、保護カバー４２を基板ケースから取り外そうとしてＹ方向に移動すると、（ｃ）に示すように爪部４２ｂが封印シール４１の端部に引っ掛かる。保護カバー４２を更にＹ方向に移動すると、爪部４２ｂによって封印シール４１が破れてアンテナ部４１ｃが破損又は破壊する。このように保護カバー４２を両ケースから取り外そうとすると、アンテナ部４１ｃが破壊されＩＣチップの情報が読み取り不可能となる。以上のように、本実施の形態２に係る制御基板ユニットによっても、保護カバー４２を取り外すことによりアンテナ部４１ｃが破壊するため、不正に主制御基板３４にアクセスしようとした痕跡を確実に残すことが可能となる。
【図面の簡単な説明】
【００９３】
【図１】本発明の実施の形態１に係るパチンコ機の正面図である。
【図２】図１に示すパチンコ機の背面図である。
【図３】実施の形態１に係る主制御基板ユニットの平面図である。
【図４】主制御基板ユニットの分解斜視図である。
【図５】主制御基板ユニットの不正開放検出構造を拡大して示す分解斜視図である。
【図６】封印シールの表面及び裏面を示す模式平面図である。
【図７】図３に示す主制御基板ユニットのＡ−Ａ断面図である。
【図８】実施の形態２に係る主制御基板ユニットの不正開放検出構造の断面を拡大して示す分解斜視図である。
【図９】主制御基板ユニットの保護カバー部分を拡大した拡大断面図である。
【図１０】図９のＢ部分を拡大した拡大断面図である。
【図１１】変形例に係る主制御基板ユニットの不正開放検出構造の断面を拡大して示す分解斜視図である。
【図１２】主制御基板ユニットの保護カバー部分を拡大した拡大斜視図である。
【図１３】主制御基板ユニットの保護カバー部分を拡大した拡大断面図である。
【符号の説明】
【００９４】
Ｕ：主制御基板ユニット（電子基板ユニット）
２：パチンコ機（遊技機）
３：枠体
４：筐体枠（枠体の一部）
６：遊技盤（遊技装置体）
６ａ：遊技盤面（表面）
７：センター役物
７ａ：図柄表示装置
７ｂ：表示画面（映像表示面）
７ｃ：表示図柄
７ｄ：開口部
９：機枠（枠体の一部）
１０：前面ガラス（前面透明板）
１２：装飾枠（枠体の一部）
１４：貯留皿
１４ａ：上皿
１４ｂ：下皿
１４ｃ：球排出ボタン
１５：発射ハンドル
１６：遊技領域
２２：ヒンジ部（揺動支持部）
２３：球（遊技媒体）
２８：普通入賞口
２９：中央始動口
３０：アウト口
３１：中央大入賞口
３２：装飾部材
３３：通過ゲート
３４：主制御基板（電子基板）
３４ａ：固定穴（固定部）
３４ｂ：電子部品
３５：主制御基板ケース（基板ケース）
３５ａ：本体ケース（基板ケース）
３５ｂ：蓋ケース（基板ケース）
３５ｅ：弧状爪部
３５ｆ：境界線（合わせ目）
３５ｇ：本体カシメ部（残留痕跡部）
３５ｈ：連結部材（残留痕跡部）
３５ｋ：蓋カシメ部（残留痕跡部）
３５ｍ：封止片（残留痕跡部）
３５ｐ：第１ネジ部（結合部材）
３５ｑ：第２ネジ部（結合部材）
３５ｒ：ネジ穴
３５ｓ：ケースリブ（位置決め部）
３６：画像制御基板ケース
３７：払出制御基板ケース
３８：電源基板ケース
３９：外部出力端子板
４１：封印シール（封印部材）
４１ａ：シリアル番号（識別情報）
４１ｂ：ＩＣチップ（情報部）
４１ｃ：アンテナ部（情報部）
４１ｄ：切り欠き部
４２：保護カバー（カバー部材）
４２ａ：窓部
４２ｂ：爪部
４２ｃ：カバーリブ
【図１】
2010142480.tif 000003
【図２】
2010142480.tif 000004
【図３】
2010142480.tif 000005
【図４】
2010142480.tif 000006
【図５】
2010142480.tif 000007
【図６】
2010142480.tif 000008
【図７】
2010142480.tif 000009
【図８】
2010142480.tif 000010
【図９】
2010142480.tif 000011
【図１０】
2010142480.tif 000012
【図１１】
2010142480.tif 000013
【図１２】
2010142480.tif 000014
【図１３】
2010142480.tif 000015